(57)【要約】【課題】強度が高く、且つまとまりの良い外観を備えた建物のけらば構造を提供する。【解決手段】野地板３、屋根外装材４、固定部材１及び水切部材２にて構成される。固定部材１は野地板３及び屋根外装材４の間に介在して野地板３上に固定される下固定片６と、この下固定片６の端縁から下方に延出されて野地板３の妻側端縁から下方に垂下する係止支持片５を具備する。水切部材２は前記下固定片６の上方において野地板３と屋根外装材４との間に介在する上固定片７と、この上固定片７の端縁に下方に延出されて野地板３の妻側端縁から下方に垂下し、係止支持片５の外面に沿って配置されると共にこの係止支持片５下端に引っ掛け係止される水切片８と、屋根外装材４の妻側端部を覆うカバー片９とを具備する。【選択図】図１
2008111267.tif 000002
【特許請求の範囲】
【請求項１】
野地板、屋根外装材、固定部材及び水切部材にて構成される建物のけらば構造であって、
固定部材は野地板及び屋根外装材の間に介在して野地板上に固定される下固定片と、この下固定片の端縁から下方に延出されて野地板の妻側端縁から下方に垂下する係止支持片を具備し、
水切部材は前記下固定片の上方において野地板と屋根外装材との間に介在する上固定片と、この上固定片の端縁に下方に延出されて野地板の妻側端縁から下方に垂下し、係止支持片の外面に沿って配置されると共にこの係止支持片の下端に引っ掛け係止される水切片と、屋根外装材の妻側端部を覆うカバー片とを具備することを特徴とする建物のけらば構造。
【請求項２】
野地板と屋根外装材との間に屋根下葺材を設けると共にこの屋根下葺材を上固定片と下固定片との間に介在させることを特徴とする請求項１に記載の建物のけらば構造。
【請求項３】
カバー片が水切片よりも妻側に突出していることを特徴とする請求項１又は２に記載の建物のけらば構造。
【請求項４】
水切片の下端にばね係止片が設けられ、このばね係止片が係止支持片の下端に引っ掛け係止されると共に破風に弾接していることを特徴とする請求項１乃至３のいずれか一項に記載の建物のけらば構造。
【発明の詳細な説明】
【技術分野】
【０００１】
本発明は建物のけらば構造に関する。
【背景技術】
【０００２】
従来、建物のけらば構造としては、図４に示すようなものがある（特許文献１参照）。このけらば構造では、野地板３の端縁に断面Ｌ字状の第一の部材１６を設置して、この第一の部材１６の水平片１８を野地板３上に固定すると共に鉛直片１９を破風１２の外側に間隔をあけて配置し、この状態で屋根外装材４を敷設し、更に前記第一の部材１６における鉛直片１９の上方に設けた係止部２２に、断面Ｌ字状の第二の部材１７の側面の鉛直片２１の裏面に突設した突起２３を係合させると共にこの第二の部材１７の鉛直片２１を第一の部材１６の鉛直片１９の外面側に沿って配置し、且つ第二の部材１７の水平片２０で屋根外装材４の端部の上面を覆うことで、第二の部材１７を設置するものである。
【０００３】
上記けらば構造では、第一の部材１６及び第二の部材１７を屋根のけらばに設けることで外観を向上すると共に、屋根外装材４の上に雨水が降りかかった場合には雨水が鉛直片２１に沿って落下して水切をしようというものである。
【特許文献１】特開平５−４４３１３号公報
【発明の開示】
【発明が解決しようとする課題】
【０００４】
しかし、上記従来技術においては、第二の部材１７は第一の部材１６との間で係止部２２と突起２３との係合のみによって固定されており、第二の部材１７の取り付け強度は非常に低くなってしまうものである。このため強風等による負荷がかかった場合には第二の部材１７が脱離してしまうおそれがある。
【０００５】
また、屋根外装材４の端縁の外側方に係止部２２と突起２３との係合構造が形成されているために、屋根外装材４の端縁と鉛直片２１との間には大きく隙間が形成されることとなり、このため第二の部材１７の水平片２０にて屋根外装材４の端部上面を覆うためにはこの水平片２０の幅寸法が大きくなってしまって、外観の悪化に繋がるものであった。
【０００６】
本発明は上記の点に鑑みて為されたものであり、強度が高く、且つまとまりの良い外観を備えた建物のけらば構造を提供することを目的とする。
【課題を解決するための手段】
【０００７】
本発明に係る建物のけらば構造は、野地板３、屋根外装材４、固定部材１及び水切部材２にて構成される。固定部材１は野地板３及び屋根外装材４の間に介在して野地板３上に固定される下固定片６と、この下固定片６の端縁から下方に延出されて野地板３の妻側端縁から下方に垂下する係止支持片５を具備する。水切部材２は前記下固定片６の上方において野地板３と屋根外装材４との間に介在する上固定片７と、この上固定片７の端縁に下方に延出されて野地板３の妻側端縁から下方に垂下し、係止支持片５の外面に沿って配置されると共にこの係止支持片５の下端に引っ掛け係止される水切片８と、屋根外装材４の妻側端部を覆うカバー片９とを具備する。
【０００８】
請求項２に係る発明は、請求項１において、野地板３と屋根外装材４との間に屋根下葺材１１を設けると共にこの屋根下葺材１１を上固定片７と下固定片６との間に介在させることを特徴とする。
【０００９】
請求項３に係る発明は、請求項１又は２において、カバー片９が水切片８よりも妻側に突出していることを特徴とする。
【００１０】
請求項４に係る発明は、請求項１乃至３のいずれか一項において、水切片８の下端にばね係止片１０が設けられ、このばね係止片１０が係止支持片５の下端に引っ掛け係止されると共に破風１２に弾接していることを特徴とする。
【発明の効果】
【００１１】
本発明によれば、雨水が屋根外装材４に降りかかった場合、この雨水が屋根外装材４の上面から建物の妻側に流れ落ちても、カバー片９や水切片８に沿って下方に落下することとなり、建物の妻側の外壁に雨筋汚れが生じることを防止することができ、また、水切部材２は上固定片７にて野地板３と屋根外装材４とに挟持され、且つ係止支持片５に引っ掛け係止されているため、取り付け強度が高く、強風等による負荷がかかった場合でも水切部材２の脱離が防止されるものであり、且つ水切部材２を少ない部品点数でまとまりよく設置してけらば構造を外観良く形成することができるものである。
【００１２】
また、請求項２の発明によれば、屋根外装材４の下方に雨水が浸入した場合に、屋根下葺材１１により野地板３側への水の浸入を防止することができ、このとき屋根下葺材１１が下固定片６の上面を覆っているために、下固定片６を固定するためにビス等の固着具１４を設けていてもその位置から下方に雨水が浸入することが防止されるものであり、一方、上固定片７については固着具等を用いて固定するような必要はなく、上固定片７の上面に屋根下葺材１１が敷設されていなくても、それによって下方への雨水の浸入が生じるようなことはないものである。
【００１３】
また、請求項３の発明によれば、屋根外装材４に降りかかった雨水が建物の妻側に流れ落ちる場合に、カバー片９に沿って下方に落下することにより、多くの雨水が水切片８の外側において落下することとなり、建物の妻側の外壁に雨筋汚れが生じることを更に確実に防止することができるものである。
【００１４】
また、請求項４の発明によれば、ばね係止片１０による引っ掛け係止により水切部材２の取り付け強度が高く、且つ、このばね係止片１０にて水切片８と破風１２との間の隙間が閉塞され、この隙間に雨水が浸入することを防止することができるものである。
【発明を実施するための最良の形態】
【００１５】
以下、本発明を実施するための最良の形態について説明する。
【００１６】
図１は本発明に係るけらば構造の一例を示す。このけらば構造では、垂木１５に支持された野地板３に屋根外装材４、固定部材１（図２参照）及び水切部材２（図３参照）を設けて構成されている。野地板３の妻側端部の下方には、垂木１５に支持された破風１２が設けられている。破風１２とは建物の妻側の外壁部分をいうが、破風板１２ａを含むものとする。
【００１７】
固定部材１は鋼板等の薄板材を折り曲げ加工して形成することができる。固定部材１は下固定片６と、この下固定片６の一端縁から下方に垂下する係止支持片５とから断面略Ｌ字状に形成されている。前記下固定片６を野地板３の妻側端部上に配置し、ビス等の固着具１４を打入するなどして固定することで、固定部材１が設置される。このとき係止支持片５は野地板３の妻側端縁から下方に垂下するように配置され、且つ破風１２（破風板１２ａ）の外方に間隔をあけて配置される。
【００１８】
この固定部材１は長尺なものを野地板３の妻側端縁の全体に亘って設けても良く、また短尺な複数の固定部材１を野地板３の妻側端縁に間隔をあけて設けても良い。
【００１９】
固定部材１を設置した後、屋根下葺材１１（例えばアスファルトルーフィング等の防水シート）を野地板３上に敷設する。このとき屋根下葺材１１は下固定片６の上面にも敷設される。
【００２０】
次に水切部材２が設置される。水切部材２は、鋼板等の薄板材を折り曲げ加工するなどして形成することができる。
【００２１】
この水切部材２は、上固定片７の一端縁に水切片８とカバー片９を設けて構成されている。上固定片７には、屈曲成形等により下方に開口する軒棟方向の複数の排水溝１３が設けられており、これにより屋根外装材４の下方に侵入した雨水を軒棟方向に排水することができると共に上固定片７の強度向上がなされている。水切片８は上固定片７の一端縁から下方に延出されており、その下端は上固定片７側に鋭角状に折り返されて、この折り返し部分が弾性を有するばね係止片１０として形成されている。また、カバー片９は上固定片７の一端縁から外側方に延出された下カバー片９ａ、この下カバー片９ａから上方に延出された木口カバー片９ｂ、この木口カバー片９ｂの上端縁から上固定片７側に向けて延出された上カバー片９ｃにて構成された断面略コ字状に形成されている。
【００２２】
水切部材２は、固定部材１の係止支持片５の下端に水切片８のばね係止片１０を引っ掛け係止した状態で、上固定片７を野地板３の上面に、固定部材１の下固定片６の上に被せるようにして配置することで設置される。このとき、上固定片７と下固定片６との間に屋根下葺材１１が介在することとなる。また、水切片８は係止支持片５の外面側に沿って配置されることで破風１２（破風板１２ａ）の外方に間隔をあけて配置されると共にこの係止支持片５に引っ掛け係止されており、またこの水切片８の下端のばね係止片１０は建物の破風１２に弾接して水切片８と破風１２との間の隙間を閉塞することとなる。また、カバー片９は水切片８の上方においてこの水切片８よりも外方に突出して配置されていることとなる。ここで、水切部材２は長尺に形成し、野地板３の妻側の端縁の全体に亘って設置することが好ましい。
【００２３】
屋根外装材４は上記のように固定部材１及び水切部材２が設置された状態で、野地板３上に屋根下葺材１１を介して敷設される。このとき、けらば部分においては、屋根外装材４の端部は野地板３の端縁よりも外方に突出するように敷設され、この屋根外装材４の突出部分がカバー片９に嵌合してこのカバー片９に覆われるようにする。このとき屋根外装材４の前記突出部分における下面が下カバー片９ａに、木口が木口カバー片９ｂに、上面が上カバー片９ｃによって覆われる。
【００２４】
このように構成されるけらば構造では、雨水が屋根外装材４に降りかかった場合、この雨水が屋根外装材４の上面から建物の妻側に流れ落ちても、カバー片９の木口カバー片９ｂに沿って下方に落下することとなり、建物の妻側の外壁に雨筋汚れが生じることを防止することができる。また、この雨水がカバー片９の外面に沿って水切片８まで到達しても、この水切片８の外面に沿って下方に落下することとなり、やはり建物の妻側の外壁に雨筋汚れが生じることを防止することができる。更に、水切片８と破風１２との間の隙間はばね係止片１０にて閉塞されているために、この隙間に雨水が浸入することも防止されることとなる。
【００２５】
また、屋根外装材４の下方に雨水が浸入した場合には、この雨水は排水溝１３に沿って軒棟方向に排水されることとなる。また、屋根下葺材１１が下固定片６の上面を覆っているために、下固定片６を固定するためのビス等の固着具１４を設けた位置から下方に雨水が浸入することが防止される。このとき、上固定片７については野地板３と屋根外装材４との間に挟持されていると共に上記のように上固定片７と一体となっている水切片８が係止支持片５に引っ掛け係止されているため、野地板３と屋根外装材４との間に固定されており、この上固定片７を更に固着具等を用いて固定するような必要はなく、このため上固定片７の上面に屋根下葺材１１が敷設されていなくても、それによって下方への雨水の浸入が生じるようなことはない。
【００２６】
また、水切部材２は上固定片７にて野地板３と屋根外装材４とに挟持され、しかも水切片８のばね係止片１０にて係止支持片５に引っ掛け係止されているため、取り付け強度が高く、強風等による負荷がかかった場合でも水切部材２の脱離が防止される。
【００２７】
更に、水切部材２を少ない部品点数でまとまりよく設置することができ、けらば構造を外観良く形成することができる。すなわち、上記のように水切部材２は野地板３と屋根外装材４とによる上固定片７の挟持と、係止支持片５に対する水切片８の引っ掛け係止によって設置され、それ以外は水切部材２を設置するための部材等を設ける必要がなくなるものであり、このため、屋根外装材４の端縁を覆うカバー片９の寸法を小さくして、建物のけらば構造の外観を向上することができるものである。
【００２８】
また、水切部材２や固定部材１は上記のように鋼板等の薄板材を折り曲げ加工等することで容易に形成することができ、簡易な工程で得られた水切部材２や固定部材１を用いてけらば構造を構成することができる。
【図面の簡単な説明】
【００２９】
【図１】本発明の実施の形態の一例を示す断面図である。
【図２】同上の実施の形態における固定部材を示す正面図である。
【図３】同上の実施の形態における水切片を示す正面図である。
【図４】従来技術の一例を示す断面図である。
【符号の説明】
【００３０】
１  固定部材
２  水切部材
３  野地板
４  屋根外装材
５  係止支持片
６  下固定片
７  上固定片
８  水切片
９  カバー片
１０  ばね係止片
１１  屋根下葺材
１２  破風
【図１】
2008111267.tif 000003
【図２】
2008111267.tif 000004
【図３】
2008111267.tif 000005
【図４】
2008111267.tif 000006